【事件の表示】
　特願２００７−　　２８７９「印刷システム、印刷装置及び印刷方法」拒絶査定不服審判事件〔平成１９年　８月２３日出願公開、特開２００７−２１３５６６〕について、次のとおり審決する。
【結　論】
　本件審判の請求は、成り立たない。
【理　由】
１．経緯
　本願は、平成１９年１月１０日（優先権主張平成１８年１月１３日）の出願であって、平成２３年１１月２９日付けの拒絶理由通知に対し、平成２４年１月３１日に意見書及び手続補正書の提出がなされたが、平成２４年２月１６日付けで、拒絶査定がなされ、同年５月２１日に拒絶査定不服審判の請求がなされたものである。
　
２．本願発明
　本願の請求項１に記載された発明（以下、「本願発明」という。）は、平成２４年１月３１日に提出された手続補正書の特許請求の範囲の請求項１に記載された、次のとおりのものである。
「情報処理装置と、複数ページの印刷データを前記情報処理装置から受信して前記印刷データに基づいて印刷処理を実行する印刷装置とを含む印刷システムであって、
　前記情報処理装置は、
　前記複数ページのうちの第１のページ群に対応する第１の印刷処理条件と、前記複数ページのうちの第２のページ群に対応する第２の印刷処理条件とをそれぞれ設定可能な設定手段と、
　前記複数ページの印刷データと前記第１の印刷処理条件と前記第２の印刷処理条件を前記印刷装置へ送信する送信手段と、を備え、
　前記第１のページ群と前記第２のページ群は、前記複数ページのうちのそれぞれ異なる複数のページを含み、
　前記印刷装置は、
　前記送信手段が送信した前記印刷データと前記第１の印刷処理条件と前記第２の印刷処理条件を受信する受信手段と、
　前記第１の印刷処理条件の変更が指示されれば、前記第１の印刷処理条件を前記第１のページ群について変更し、前記第２の印刷処理条件の変更が指示されれば、前記第２の印刷処理条件を前記第２のページ群について変更する変更手段と、
　前記第１の印刷処理条件に基づいて前記第１のページ群に含まれる複数のページの印刷処理を実行し、前記第２の印刷処理条件に基づいて前記第２のページ群に含まれる複数のページの印刷処理を実行する印刷手段と、を備える、
　ことを特徴とする印刷システム。」
　
３．引用発明
　原査定の拒絶の理由で引用された特開２００３−２８０８７１号公報（平成１５年１０月２日出願公開。以下、「引用例」という。）には、以下の記載がある。
　
「【０００２】
【従来の技術】プリントデータの出力指示に従ってプリントデータに画像処理を施して出力画像を生成し、出力指示の出力条件に従って出力する画像記録装置として、シングルカセット又はマルチカセットを有するカラー又はモノクロプリンタが提案されている。
【０００３】この種のプリンタでは、電子ドキュメントを画像として出力する場合、電子ドキュメントの解像度や紙種、出力部数等の出力条件を指定することができる。
【０００４】ユーザーにより電子ドキュメントの内容や用途に応じた出力条件が決定されると、出力条件がプリントジョブとして認識されると共に、プリンタの設定がプリントジョブに従って変更され、プリンタは出力条件に合わせて電子ドキュメントのプリントデータに画像処理を施して出力する。
【０００５】また、出力条件はプリントジョブ単位で設定可能となっており、１つのプリントジョブでは１つの出力条件が設定可能である。
【０００６】例えば、出力したい電子ドキュメントに写真のみのページや文字のみのページが混在し、写真のみのページは光沢紙にカラープリントし、文字のみのページは上質の普通紙にモノクロプリントしたい場合、写真のみのページをまとめて１つのプリントジョブを作成し、さらに文字のみのページをまとめて１つのプリントジョブを作成して、１つの電子ドキュメントを２つのプリントジョブに分けて出力する。
【０００７】また、複数ページからなる１つの電子ドキュメントを製本する場合、表紙は厚手のコート紙等を用いてカラープリントし、中身は上質の普通紙を用いてモノクロ印刷し、写真等の中綴じ部分は光沢紙等を用いてカラープリントするなど、ページ毎に異なる出力条件で出力したい場合も、同じ出力条件で出力したいページを１つのプリントジョブにまとめ、複数のプリントジョブとして出力している。
【０００８】
【発明が解決しようとする課題】しかしながら、上記のように１つの電子ドキュメントを複数のプリントジョブに分割して出力すると、出力指示を何度も行なう必要があった。
【０００９】また、当該出力を製本する場合など、出力されたバラバラの電子ドキュメントを並び替えることにより、１つの電子ドキュメントを再構築してから製本する必要があり、並べ替えを行なう手間を惜しむとさらに多くのプリントジョブに分割する必要があった。
【００１０】この複数回にわたる出力指示及び電子ドキュメントの再構築の作業は手間と時間がかかり、煩雑で面倒である。
【００１１】また、電子ドキュメントの再構築にあっては、作業ミスが発生することがしばしばあった。
【００１２】さらに、出力エラーや再出力の場合には再び複数のプリントジョブを作成する必要があり、プリントジョブの管理が複雑となっていた。
【００１３】本発明は上記事実を考慮し、出力条件の異なるページが混在する１つの電子ドキュメントを容易かつ迅速に出力することができる画像記録装置を提供することが目的である。」
　
「【００２９】
【発明の実施の形態】図１には、本実施の形態に係るカラープリンタ１０の装置構成が示されている。
【００３０】本実施の形態では、カラープリンタ１０は電子ドキュメントを編集する編集用ＰＣ／ＭＡＣ１１及び出力条件指示部１３と接続されている。
【００３１】カラープリンタ１０は、出力する電子ドキュメントに画像処理を施して出力画像を生成する画像処理部１４と、出力画像を出力する印刷機構１２と、プリントジョブに従って印刷機構１２を制御する出力制御部１６と、を含んで構成されており、印刷機構１２には用紙を収容する用紙カセットとして、コート紙用用紙カセット１８及び上質紙用用紙カセット２０が備えられている。
【００３２】図２には、カラープリンタ１０の機能のブロック図が示されている。
【００３３】カラープリンタ１０は、電子ドキュメントのプリントデータを取り込むためのインタフェース（以下、「Ｉ／Ｆ」という。）３２と、電子ドキュメントのプリントジョブを作成する出力条件指示部３０と、外部から電子ドキュメントのプリントジョブを作成可能な外部出力条件指示部１３と、プリントジョブの指示データを解析して記憶するデータ解析部２６と、指示データに従ってプリントデータの各ページに画像処理を施して出力画像を生成する画像処理部１４と、用紙に出力画像を記録する印刷機構１２と、指示データに従って印刷機構１２を制御する出力制御部１６と、を備える。
【００３４】また、印刷機構１２には、コート紙を収容する用紙カセット１８及び上質紙を収容する用紙カセット２０が設けられており、指示データに従って選択的に用いられる。
【００３５】さらに、カラープリンタ１０全体を制御するメイン制御部３４により、上記各部の動作が制御されている。
【００３６】メイン制御部３４は、Ｉ／Ｆ３２から電子ドキュメントのプリントデータを取り込み、出力条件指示部３４で電子ドキュメントのプリントジョブを作成し、指示データをデータ解析部２６で解析して一時記憶する。一方、指示データに従って画像処理部１４で各ページに画像処理を施して出力画像を生成し、出力制御部１６で出力画像に関する指示データに従って印刷機構１２を制御し、印刷機構１２で画像を記録する。
【００３７】外部出力条件指示部１３では、モニタ（図示省略）に表示される出力条件の作成画面に基づいて出力条件を作成するＧＵＩ（Graphical User Interface）機能を用いており、図３には、出力条件の作成画面（以下、「印刷画面」という。）の一例が示されている。
【００３８】この印刷画面では、プリンタ、印刷範囲、印刷部数、用紙等、出力に関する設定を指定する欄が表示されると共に、各ページ毎の出力条件の設定を有効にするか否かを選択する欄が表示されるようになっている。
【００３９】印刷範囲欄では、「すべて」項目が選択（項目先頭の白丸内に黒丸が表示）されている場合は電子ドキュメント全体を出力する設定であり、電子ドキュメントの一部を出力したいときは「ページ指定」項目を選択し、項目の後方の欄に出力したいページ番号を入力する。
【００４０】印刷部数欄では、数字を入力することで出力部数を指定でき、複数ページを複数部出力する場合など、後で順番を並べ替えなくても済むように、部単位で印刷するように出力順番を指定することができる。
【００４１】プリンタ欄では、現在のカラープリンタ１０の名称が表示されると共に、印刷のカラーモードを選択するためのチェックボックス及び「プロパティ」ボタンが表示されるようになっている。
【００４２】プロパティボタンを選択すると、プリンタのプロパティ画面（図示省略）が表示され、解像度や各処理の詳細な出力条件が設定可能である。
【００４３】用紙欄では、用紙のサイズ、用紙トレイの種類、用紙の種類を選択することができるようになっており、用紙のサイズ及び用紙の種類を選択すると、該当する用紙トレイ１８又は２０を自動的に選択するようになっている。
【００４４】また、用紙トレイの種類は、用紙トレイ１８、２０及び自動から選択可能になっており、トレイの種類１８又は２０が選択されている場合は指定されたトレイから給紙し、自動が選択されている場合は、前述した用紙のサイズ及び用紙の種類の欄で選択されている用紙トレイを自動で選択する。
【００４５】各ページ毎の設定欄の「ＯＮ」項目が選択されている（項目先頭の白丸内に黒丸が表示されている）状態では、「各ページ毎の設定」ボタンが選択可能であり、該「各ページ毎の設定」ボタンを選択すると図４に示すような各ページ毎の設定画面が表示される。
【００４６】各ページ毎の設定画面では、プリンタのカラーモード、画像処理、解像度、紙種、用紙のサイズの項目について各ページ毎に設定でき、各項目の図４右端に表示されたコンボボックスを選択して表示されるプルダウンメニューの中から選択するようになっている。
【００４７】ここで、「各ページ毎の設定」を「ＯＮ」とすると、「プリンタ」欄と同一の項目について、「プリンタ」欄で選択された内容と「各ページ毎の設定」で選択された内容が異なる場合は、「各ページ毎の設定」で選択された設定が優先的に採用される。例えば、「プリンタ」欄ではカラーモードがモノクロ設定となっていても、各ページ毎の設定でカラー設定を選択した場合はカラー設定で出力される。
【００４８】また、プリンタのプロパティで面付けや両面印刷の設定をした場合、１枚の用紙に電子ドキュメントの複数のページが印刷されるため、同一の用紙に印刷されるページの設定については同一の設定とする必要がある。
【００４９】例えば、図５（Ａ）に示すように電子ドキュメントを両面印刷で出力し、重ねて中央を綴じて（Ｂ）に示すような冊子を作成する場合、１枚の用紙に印刷されるページ（図５（Ｂ）のＰ１、Ｐ２、Ｐ１５、Ｐ１６）については、用紙の設定が同一であることが必要であり、同じ面に印刷されるページ（図５（Ｂ）のＰ１、Ｐ１６）については、同じ出力条件である必要がある。
【００５０】そこで、各ページ毎の設定画面終了時に、このような関連ページの出力条件の設定に整合性がない場合は、エラーメッセージを表示するようにしており、例えば１枚の用紙に印刷されるページ同士で紙種の設定が同一の設定となっていない場合は、図６に示すように紙種の再設定を促すエラーメッセージを表示する。
【００５１】このようにして外部出力条件指示部１３で作成されたプリントジョブは、カラープリンタ１０に設けられた出力条件指示部３０により変更することが可能である。
【００５２】出力条件指示部３０によってプリントジョブを変更する場合、カラープリンタ１０に設けられたモニタ（図示省略）に表示されるジョブキュー（図７参照）でジョブ内容を変更したいプリントジョブを選択し、ツールバー５０に表示されたアイコンの中から編集用アイコン５２を選択する。
【００５３】このとき、ＲＩＰ（Raster Image Processor）処理停止ボタン５４を押下して、カラープリンタに入力されたジョブのプリントを停止しておく必要がある。
【００５４】編集用アイコン５２を選択すると、モニタには図８に示されるような出力条件の作成画面が表示され、ＧＵＩ機能によりプリントジョブの内容を変更する。
【００５５】この出力条件の作成画面では、上記外部出力条件指示部１３の印刷画面に加え、面付けの指示が可能であり、両面印刷機能を使用するか否か、及び面付けパターンを指示することができる。
【００５６】また、このプリントジョブの内容の変更は、一旦プリント完了したジョブに対しても行うことができる。この場合は、ジョブキューでプリントジョブを選択、内容変更後、ジョブキューのツールバー５０に表示されたアイコンの中から再出力用アイコン５６を選択することで電子ドキュメントは変更後のプリントジョブに基づいて出力される。」
　
　ここで、上記記載事項を関連図面と技術常識に照らせば、以下のことがいえる。
（１）引用例の図１、２に示されるシステムは、編集用ＰＣ／ＭＡＣ１１と、外部出力条件指示部１３と、カラープリンタ１０とを含む印刷システムである。
（２）段落【００２９】〜【００３６】及び図２の記載等からみて、上記カラープリンタ１０は、複数ページの印刷データを上記編集用ＰＣ／ＭＡＣ１１から受信して前記印刷データに基づいて印刷処理を実行する機能を有するものである。
（３）段落【００４５】〜【００４７】、【００５１】及び図２の記載等からみて、上記外部出力条件指示部１３は、上記複数ページのうちの第１のページに対応する第１の印刷処理条件と、上記複数ページのうちの上記第１のページとは異なる第２のページに対応する第２の印刷処理条件とをそれぞれ設定し、上記カラープリンタへ送信する機能を有するものである。そして、その設定する機能をつかさどる部分は、「設定手段」と呼び得、送信する機能をつかさどる部分は「送信手段」と呼び得る。
（４）段落【００２９】〜【００３６】及び図２の記載等からみて、上記編集用ＰＣ／ＭＡＣ１１は、上記複数ページの印刷データを前記カラープリンタへ送信する機能を有しており、その送信する機能をつかさどる部分も「送信手段」と呼び得る。
（５）段落【００２９】〜【００３６】及び図２の記載等からみて、上記カラープリンタ１０は、上記編集用ＰＣ／ＭＡＣ１１の送信手段が送信した印刷データと上記外部出力条件指示部の送信手段が送信した第１の印刷処理条件と第２の印刷処理条件を受信する機能を有しており、その受信する機能をつかさどる部分は「受信手段」と呼び得る。
（６）段落【００５１】、【００５２】の記載等からみて、上記カラープリンタ１０に設けられる出力条件指示部３０は、上記第１の印刷処理条件の変更が指示されれば、該第１の印刷処理条件を第１のページについて変更し、上記第２の印刷処理条件の変更が指示されれば、該第２の印刷処理条件を第２のページについて変更する機能を有するものである。
（７）段落【００４５】〜【００４７】、【００５１】及び図２の記載等からみて、上記カラープリンタ１０は、上記第１の印刷処理条件に基づいて第１のページの印刷処理を実行し、上記第２の印刷処理条件に基づいて第２のページの印刷処理を実行する機能を有しており、その印刷処理を実行する機能をつかさどる部分は、「印刷手段」と呼び得る。
　
　してみると、引用例には、以下の発明（以下、「引用発明」という。）が記載されているといえる。
　
「編集用ＰＣ／ＭＡＣと、外部出力条件指示部と、複数ページの印刷データを前記編集用ＰＣ／ＭＡＣから受信して前記印刷データに基づいて印刷処理を実行するカラープリンタとを含む印刷システムであって、
　前記外部出力条件指示部は、
　前記複数ページのうちの第１のページに対応する第１の印刷処理条件と、前記複数ページのうちの第２のページに対応する第２の印刷処理条件とをそれぞれ設定可能な設定手段と、
　前記第１の印刷処理条件と前記第２の印刷処理条件を前記カラープリンタへ送信する送信手段と、を備え、
　前記第１のページと前記第２のページは、前記複数ページのうちのそれぞれ異なるページであり、
　前記編集用ＰＣ／ＭＡＣは、前記複数ページの印刷データを前記カラープリンタへ送信する送信手段を備え、
　前記カラープリンタは、
　前記編集用ＰＣ／ＭＡＣの送信手段が送信した前記印刷データと前記外部条件指示部の送信手段が送信した前記第１の印刷処理条件と前記第２の印刷処理条件を受信する受信手段と、
　前記第１の印刷処理条件の変更が指示されれば、前記第１の印刷処理条件を前記第１のページについて変更し、前記第２の印刷処理条件の変更が指示されれば、前記第２の印刷処理条件を前記第２のページについて変更する出力条件指示部と、
　前記第１の印刷処理条件に基づいて前記第１のページの印刷処理を実行し、前記第２の印刷処理条件に基づいて前記第２のページの印刷処理を実行する印刷手段と、を備える、
　印刷システム。」
　
４．対比
　本願発明と引用発明とを対比すると、以下のことがいえる。
（１）引用発明の「編集用ＰＣ／ＭＡＣ」と「外部出力条件指示部」を併せた部分と本願発明の「情報処理装置」とは、「情報処理機能部」とも呼び得る部分である点で共通する。
（２）引用発明の「カラープリンタ」は、本願発明の「印刷装置」に相当する。
（３）引用発明の「外部出力条件指示部」の「設定手段」と本願発明の「情報処理装置」の「設定手段」は、「相互に異なるページについての第１の印刷処理条件と第２の印刷処理条件とを設定可能な設定手段」である点で共通する。
（４）引用発明の「出力条件指示部」と本願発明の「変更手段」は、「前記第１の印刷処理条件の変更が指示されれば、前記第１の印刷処理条件をそれが設定されたページについて変更し、前記第２の印刷処理条件の変更が指示されれば、前記第２の印刷処理条件をそれが設定されたページについて変更する変更手段」である点で共通する。
（５）引用発明の「印刷手段」と本願発明の「印刷手段」は、「前記第１の印刷処理条件に基づいてそれが設定されたページの印刷処理を実行し、前記第２の印刷処理条件に基づいてそれが設定されたページの印刷処理を実行する印刷手段」である点で共通する。
　
　したがって、本願発明と引用発明の間には、以下の一致点、相違点があるといえる。
〈一致点〉
「情報処理機能部と、複数ページの印刷データを前記情報処理機能部から受信して前記印刷データに基づいて印刷処理を実行する印刷装置とを含む印刷システムであって、
　情報処理機能部は、
　前記複数ページのうちの相互に異なるページについての第１の印刷処理条件と第２の印刷処理条件とを設定可能な設定手段と、
　前記複数ページの印刷データと前記第１の印刷処理条件と前記第２の印刷処理条件を前記印刷装置へ送信する送信手段と、を備え、
　前記印刷装置は、
　前記送信手段が送信した前記印刷データと前記第１の印刷処理条件と前記第２の印刷処理条件を受信する受信手段と、
　前記第１の印刷処理条件の変更が指示されれば、前記第１の印刷処理条件をそれが設定されたページについて変更し、前記第２の印刷処理条件の変更が指示されれば、前記第２の印刷処理条件をそれが設定されたページについて変更する変更手段と、
　前記第１の印刷処理条件に基づいてそれが設定されたページの印刷処理を実行し、前記第２の印刷処理条件に基づいてそれが設定されたページの印刷処理を実行する印刷手段と、を備える、
　ことを特徴とする印刷システム。」である点。
　
〈相違点１〉
　本願発明の「情報処理機能部」は、単一の「情報処理装置」であるのに対し、引用発明の「情報処理機能部」は単一の「情報処理装置」ではなく、「編集用ＰＣ／ＭＡＣ」と「外部出力条件指示部」からなるものである点。
〈相違点２〉
　本願発明の印刷システムは、第１の印刷処理条件と第２の印刷処理条件を相互に異なる「ページ群」に対応付けるもの、具体的には、その「設定手段」が、「前記複数ページのうちの第１のページ群に対応する第１の印刷処理条件と、前記複数ページのうちの第２のページ群に対応する第２の印刷処理条件とをそれぞれ設定可能」なものであり、「変更手段」が、「前記第１の印刷処理条件の変更が指示されれば、前記第１の印刷処理条件を前記第１のページ群について変更し、前記第２の印刷処理条件の変更が指示されれば、前記第２の印刷処理条件を前記第２のページ群について変更する」ものであり、「印刷手段」が、「前記第１の印刷処理条件に基づいて前記第１のページ群に含まれる複数のページの印刷処理を実行し、前記第２の印刷処理条件に基づいて前記第２のページ群に含まれる複数のページの印刷処理を実行する」ものであるのに対し、引用発明の印刷システムは、第１の印刷処理条件と第２の印刷処理条件を相互に異なる「ページ群」に対応付けるものではなく、「ページ」に対応付けるものである点。
　
５．判断
（１）〈相違点１〉について
　情報を扱う装置一般において、複数の機能を一つの装置に集約して行わせることは、本願出願前の慣用手段であるし、印刷データの送信機能と印刷処理条件の設定・送信機能を同一の装置に担わせることも、平成２３年１１月２９日付けの拒絶理由通知に刊行物２として引用された特開２００４−１２６８７１号公報の図１等にも示されるように、ごく普通に行われていることである。また、引用発明の「編集用ＰＣ／ＭＡＣ」と「外部出力条件指示部」を１つの装置に集約させることができない理由もない。
　してみれば、引用発明の「情報処理機能部」を単一の「情報処理装置」とすることは、当業者が適宜なし得たことである。
　
（２）〈相違点２〉について
　以下の事情を考慮すると、引用発明の印刷システムを、第１の印刷処理条件と第２の印刷処理条件を相互に異なる「ページ群」に対応付けるものとすること、換言すれば、引用発明において、上記相違点２に係る本願発明の構成を採用することは、当業者が容易に推考し得たことというべきである。
ア．印刷処理条件を複数のページからなるページ群に対応付けて設定することができるようにすること（以下、「周知技術Ａ」という。）は、本願明細書中に【特許文献２】として引用されている特開平７−１３４７０７号公報の段落【００２８】等や、上記特開２００４−１２６８７１号公報の【００４９】等にも示されるように周知である。
イ．引用発明においても、上記周知技術Ａが有用であることは、引用例の段落【０００２】〜【００１３】に示される引用発明が解決しようとした課題に照らし明らかである。
ウ．引用発明の「設定手段」に上記周知技術Ａを採用する場合に、引用発明の「出力条件指示部」における「変更する」処理や「印刷手段」における「印刷処理」についても、「ページ群」ごとに行えるようにすべきことは当然のことである。
エ．引用発明に、上記相違点２に係る本願発明の構成を採用することに対する阻害要因はない。　
　
（３）本願発明の効果について
　本願発明の構成によりもたらされる効果は、引用例の記載事項および周知の事項から当業者が容易に予測し得る程度のものであって、本願発明の進歩性を根拠付けるものではない。
　
（４）まとめ
　以上のとおりであるから、本願発明は、引用発明及び周知の事項に基づいて当業者が容易に発明をすることができたものである。
６．むすび
　以上のとおり、本願発明は、引用発明及び周知の事項に基づいて当業者が容易に発明をすることができた発明であるから、特許法第２９条第２項の規定により特許を受けることができない。
　したがって、本願は、他の請求項について検討するまでもなく、拒絶されるべきものである。
　よって、結論のとおり審決する。